(57)【要約】【課題】弾性ユニットの移動および作動が安定的に行われる携帯端末機用スライド式カバー開閉装置を提供する。【解決手段】ガイド部材１０にスライディング可能に組み立てられる移動部材２０と、ガイド部材１０および移動部材２０に回転可能に結合する弾性ユニット３０とを含み、弾性ユニット３０は、互いに平行に配置されるとともにガイド部材１０および移動部材２０に回転可能に結合する１対の回転板４０と、各回転板４０の間でこれらの回転板４０の両側サイド部にスライディングおよびロッキング可能に結合するとともに各回転板４０に向かってオープンしたスライドセクション６１，６２からなり、且つ各回転板４０の内部に一部挿入される支持ピン７７がスライドセクション６１，６２に形成される弾性支持板６０と、支持ピン７７に嵌合して各回転板４０に対して弾発力を作用させる弾性部材９０とで構成される。【選択図】図２
2011521601.tif 000002
【特許請求の範囲】
【請求項１】
板形状のガイド部材と、前記ガイド部材にスライディング可能に組み立てられる板形状の移動部材と、前記ガイド部材および移動部材に両端部分がそれぞれ回転可能に結合する弾性ユニットとを含み、
前記弾性ユニットは、
互いに平行に配置されるとともに前記ガイド部材および移動部材にヒンジピンを介してそれぞれ回転可能に結合する１対の回転板と、
前記各回転板の間でこれらの回転板の両側サイド部にスライディングおよびロッキング可能に結合するとともに前記各回転板に向かって互いに反対方向にオープンした第１および第２スライドセクションからなり、且つ前記各回転板の内部に一部挿入される複数の支持ピンが前記第１および第２スライドセクションに形成される弾性支持板と、
前記支持ピンに嵌合して前記各回転板に対して弾発力を作用させる弾性部材と、
を含んで構成される、携帯端末機用スライド式カバー開閉装置。
【請求項２】
前記弾性支持板は、
前記各回転板の両側サイド部に対応して前記第１および第２スライドセクションの開放端部に形成されるとともに前記各回転板の両側サイド部にフック結合するフック突起を含む、請求項１に記載の携帯端末機用スライド式カバー開閉装置。
【請求項３】
前記各回転板は、
前記第１および第２スライドセクションがスライディング可能に結合するガイドレールが前記両側サイド部に形成され、前記フック突起がかかる係止爪が前記ガイドレールに形成される、請求項２に記載の携帯端末機用スライド式カバー開閉装置。
【請求項４】
前記フック突起は、
前記係止爪と相補的な形態の結合をなすように所定の傾斜度を有して形成される、請求項３に記載の携帯端末機用スライド式カバー開閉装置。
【請求項５】
前記ガイドレールは、
前記係止爪を中心として前記第１および第２スライドセクションの開放端部の内側に向かう第１レールと、前記開放端部の外側に向かう第２レールとからなる、請求項３または４に記載の携帯端末機用スライド式カバー開閉装置。
【請求項６】
前記第１および第２スライドセクションの開放端部がラウンド形態で構成される、請求項２〜５のいずれかに記載の携帯端末機用スライド式カバー開閉装置。
【請求項７】
前記弾性支持板は、
前記第１スライドセクションに対応する前記回転板の一側サイド部にスライディング結合する第１リブと、
前記第２スライドセクションに対応する他側の回転板の一側サイド部にスライディング結合する第２リブと、
前記第１リブと第２リブの間で前記各回転板の他側の一側サイド部にスライディング結合するとともに前記第１および第２リブと一体に構成される第３リブと、
を含む、請求項１〜６のいずれかに記載の携帯端末機用スライド式カバー開閉装置。
【請求項８】
前記弾性支持板が「Ｓ」字形態で構成される、請求項１〜７のいずれかに記載の携帯端末機用スライド式カバー開閉装置。
【請求項９】
前記弾性支持板は弾性を有する金属薄板で構成される、請求項１〜８のいずれかに記載の携帯端末機用スライド式カバー開閉装置。
【請求項１０】
前記各回転板は、
前記支持ピンが挿入可能な挿入ホールを形成する本体部と、前記挿入ホールを間において前記本体部の両側サイドから延長する延長部とで構成される、請求項１〜９のいずれかに記載の携帯端末機用スライド式カバー開閉装置。
【請求項１１】
前記各回転板の本体部には前記ヒンジピンを結合するためのヒンジ溝が形成される、請求項１０に記載の携帯端末機用スライド式カバー開閉装置。
【発明の詳細な説明】
【技術分野】
【０００１】
本発明の例示的な実施形態は携帯用端末機に関し、より詳細には、携帯端末機の本体からカバーを上下方向にスライディングさせるための携帯端末機用スライド式カバー開閉装置に関する。
【背景技術】
【０００２】
一般的に、移動中に放送および通信などの無線サービスを利用するためには、携帯電話機やＰＤＡ、ノートパソコン、ＤＭＢフォンなどの携帯端末機が広く用いられる。
【０００３】
このような携帯端末機は情報化産業の発達に伴い、生活の便宜性を享受するためになくてはならない重要な必需品のうちの１つとして定着してきており、携帯電話機においては小学生・中学生・高校生から老人などに至るまで幅広く普及している実情にある。
【０００４】
このような携帯端末機においては、カバーの開閉に多様な方式を適用するが、これを大きく分ければヒンジ方式、スライド方式、スイング方式に区分することができる。
【０００５】
特にスライド方式によってカバーを開閉する携帯端末機は、使用が便利で故障が少ない上に洗練されたデザインを持つなど多様な長所により、最近では最も広く適用されている。
【０００６】
前記スライド方式によってカバーを開閉する携帯端末機の基本構造は、キーパッドなどが設けられた本体から、ディスプレイ部が設けられたカバーを上下にスライディングさせる構成からなり、近年このような基本構造に基づいた多様な構造の携帯端末機用スライド式カバー開閉装置が各製造業者によって製造されている。
【０００７】
１つ例を挙げると、従来の携帯端末機用スライド式カバー開閉装置は、本体に固定するガイド部材と、板形状で構成されてカバーに固定されるとともにガイド部材にスライディング可能に組み立てられる移動部材と、その移動部材のスライディングがより簡便かつ円滑に行われるように移動部材とガイド部材に両端が回転可能に結合して支持される弾性ユニットとで構成される。
【０００８】
前記弾性ユニットは、携帯端末機のカバーが開いている状態あるいは閉じた状態で、移動部材が所定の区間をスライディングするまでユーザがカバーに力を加えることにより、弾性復元力によって残りの区間は自然にカバーのスライディング運動が行われるように構成されている。
【０００９】
しかしながら、このように構成される従来技術に係る携帯端末機用スライド式カバー開閉装置においては、弾性ユニットとしてコイルスプリングやトーションスプリングなどが用いられ、この場合、カバー開閉のためのスライド時に、この弾性ユニットがガイド部材および移動部材と接触を起こすようになる。そのため、ガイド部材および移動部材に擦れなどの損傷が生じるようになり、カバー開閉時に騒音および摩擦抵抗を誘発するなどの支障を招くようになるという問題を有している。
【００１０】
さらに、従来技術の弾性ユニットは上下にずれる恐れがあるため、正確かつ円滑な開閉動作が行われない可能性がある。
【発明の概要】
【発明が解決しようとする課題】
【００１１】
本発明の例示的な実施形態は上述したような問題点を改善するために案出されたものであって、携帯端末機カバーの開閉方向に沿って正確に弾性力が作用して弾性力の低下および損失を最小化させることができるだけでなく、弾性ユニットの移動および作動が安定的に行われ、製造が容易であって生産性を向上させることができる携帯端末機用スライド式カバー開閉装置を提供する。
【課題を解決するための手段】
【００１２】
本発明の例示的な実施形態に係る携帯端末機用スライド式カバー開閉装置は、板形状のガイド部材と、前記ガイド部材にスライディング可能に組み立てられる板形状の移動部材と、前記ガイド部材および移動部材に両端部分がそれぞれ回転可能に結合する弾性ユニットとを含み、前記弾性ユニットはｉ）互いに平行に配置されるとともに前記ガイド部材および移動部材にヒンジピンを介してそれぞれ回転可能に結合する１対の回転板と、ｉｉ）前記各回転板の間でこれらの回転板の両側サイド部にスライディングおよびロッキング可能に結合するとともに前記各回転板に向かって互いに反対方向にオープンした第１および第２スライドセクションからなり、且つ前記各回転板の内部に一部挿入される複数の支持ピンが前記第１および第２スライドセクションに形成される弾性支持板と、ｉｉｉ）前記支持ピンに嵌合して前記各回転板に対して弾発力を作用させる弾性部材とを含んで構成される。
【００１３】
前記携帯端末機用スライド式カバー開閉装置において、前記弾性支持板は、前記各回転板の両側サイド部に対応して前記第１および第２スライドセクションの開放端部に形成されるとともに前記各回転板の両側サイド部でフック結合するフック突起を含んでもよい。
【００１４】
前記携帯端末機用スライド式カバー開閉装置において、前記各回転板は、前記第１および第２スライドセクションがスライディング可能に結合するガイドレールが前記両側サイド部に形成され、前記フック突起がかかる係止爪が前記ガイドレールに形成されてもよい。
【００１５】
前記携帯端末機用スライド式カバー開閉装置において、前記フック突起は、前記係止爪と相補的な形態の結合をなすように所定の傾斜度を有して形成されてもよい。
【００１６】
前記携帯端末機用スライド式カバー開閉装置において、前記ガイドレールは、前記係止爪を中心として前記第１および第２スライドセクションの開放端部の内側に向かう第１レールと、前記開放端部の外側に向かう第２レールとからなってもよい。
【００１７】
前記携帯端末機用スライド式カバー開閉装置は、前記第１および第２スライドセクションの開放端部がラウンド形態からなることが好ましい。
【００１８】
前記携帯端末機用スライド式カバー開閉装置において、前記弾性支持板は、前記第１スライドセクションに対応する前記回転板の一側サイド部にスライディング結合する第１リブと、前記第２スライドセクションに対応する他側の回転板の一側サイド部にスライディング結合する第２リブと、前記第１リブと第２リブの間で前記各回転板の他側の一側サイド部にスライディング結合するとともに前記第１および第２リブと一体に構成される第３リブとを含んでもよい。
【００１９】
前記携帯端末機用スライド式カバー開閉装置は、前記弾性支持板が「Ｓ」字形態で構成されてもよい。
【００２０】
前記携帯端末機用スライド式カバー開閉装置において、前記弾性支持板は、弾性を有する金属薄板で構成されることが好ましい。
【００２１】
前記携帯端末機用スライド式カバー開閉装置において、前記各回転板は、前記支持ピンが挿入可能な挿入ホールを形成する本体部と、前記挿入ホールを間において前記本体部の両側サイドから延長する延長部とで構成されてもよい。
【００２２】
この場合、前記各回転板の本体部には、前記ヒンジピンを結合するためのヒンジ溝が形成されてもよい。
【発明の効果】
【００２３】
上述したような本発明の例示的な実施形態によれば、１つの板からなる弾性支持板と１対の回転板がスライディング可能に結合するとともにその弾性支持板の支持ピンに弾性部材が支持される弾性ユニットを備えることにより、弾性部材の弾性力が携帯端末機の開閉方向に沿って正確に作用するという効果がある。
【００２４】
また、本実施形態では、弾性ユニットの過度な圧縮によって中間部が曲がったりずれたりして弾性力が低下したり損失することを最小化することができるため、携帯端末機のカバー開閉動作が自然かつ円滑に行われ、さらには弾性ユニットの寿命が延長する。
【００２５】
さらに、本実施形態では、弾性支持板と各回転板の結合が安定的になされることにより、結果的には弾性ユニットの移動および作動が安定的に行われ、全体構成の組み立ておよび製造が容易であって生産性を向上させることができる。
【図面の簡単な説明】
【００２６】
【図１】本発明の例示的な実施形態に係るスライド式カバー開閉装置が適用される携帯端末機の一例を示す図である。
【図２】本発明の例示的な実施形態に係る携帯端末機用スライド式カバー開閉装置の構成を示す斜視図である。
【図３】図２の分解斜視図である。
【図４】本発明の例示的な実施形態に係る携帯端末機用スライド式カバー開閉装置に適用される弾性ユニットを示す斜視図である。
【図５】図４の分解斜視図である。
【図６】本発明の例示的な実施形態に係る携帯端末機用スライド式カバー開閉装置に適用される回転板を示す断面構成図である。
【図７】本発明の例示的な実施形態に係る携帯端末機用スライド式カバー開閉装置に適用される弾性支持板を示す平面構成図である。
【図８】本発明の例示的な実施形態に係る携帯端末機用スライド式カバー開閉装置において、携帯端末機のカバーが完全に閉じた状態を示す平面構成図である。
【図９】本発明の例示的な実施形態に係る携帯端末機用スライド式カバー開閉装置において、携帯端末機のカバーが半分程度開放した状態を示す平面構成図である。
【図１０】本発明の例示的な実施形態に係る携帯端末機用スライド式カバー開閉装置において、携帯端末機のカバーが半分程度開放した状態を示す側面構成図である。
【図１１】本発明の例示的な実施形態に係る携帯端末機用スライド式カバー開閉装置において、携帯端末機のカバーが完全に開放した状態を示す平面構成図である。
【図１２】本発明の例示的な実施形態に係る携帯端末機用スライド式カバー開閉装置において、携帯端末機のカバーが完全に開放した状態を示す側面構成図である。
【発明を実施するための最良の形態】
【００２７】
以下、添付の図面を参照しながら、本発明の実施形態について、本発明が属する技術分野における通常の知識を有する者が容易に実施できるように詳しく説明する。しかしながら、本発明は多様に相違した形態で実現でき、ここで説明する実施形態に限定されるものではない。
【００２８】
図１は本発明の例示的な実施形態に係るスライド式カバー開閉装置が適用される携帯端末機の一例を示す図面である。
【００２９】
図を参照すると、本発明の例示的な実施形態に係るスライド式カバー開閉装置１００が適用される携帯端末機１として、上下スライド開閉方式の携帯電話機が例示されている。
【００３０】
なお、本発明の実施形態において、上述した携帯端末機１は一般的な携帯電話機であることに必ずしも限定されるものではなく、ＰＤＡフォンやＤＭＢフォンなどであってもよい。
【００３１】
ここで、前記携帯端末機１は、キーパッドなどが設けられた本体３から、ディスプレイ部などが設けられたカバー５を上下方向にスライディングさせることができる構造からなる。
【００３２】
このような携帯端末機用スライド式カバー開閉装置１００は基本的に、図２および図３に示すように、板形状のガイド部材１０と、ガイド部材１０とスライディング可能に結合する板形状の移動部材２０と、ガイド部材１０および移動部材２０に両端がそれぞれ回転可能に結合する弾性ユニット３０とを含んでいる。
【００３３】
前記ガイド部材１０は、金属板からなる本体１１と、合成樹脂からなり本体１１の両側エッジ部に一体に固定されてガイド溝１３を形成する１対の溝部材１５とを含んで構成される。
【００３４】
前記移動部材２０は金属や合成樹脂からなり、その両側エッジ部には上述したガイド溝１３にスライディング可能に結合する１対のレール部２１がそれぞれ形成される。
【００３５】
上述において、ガイド部材１０は携帯端末機１（以下、図１参照）の本体３（以下、図１参照）に主に固定され、移動部材２０は携帯端末機１のカバー５（以下、図１参照）に主に固定される。
【００３６】
このようなガイド部材１０および移動部材２０は、当業界において携帯端末機用スライド式カバー開閉装置に広く用いられている公知技術のガイド部材および移動部材と同じ構成で実施することも可能である。
【００３７】
また、前記弾性ユニット３０は、背景技術において言及したように、携帯端末機１のカバー５が開いた状態あるいは閉じた状態で、移動部材２０が所定の区間をスライディングするまでユーザがカバー５に力を加えることにより、弾性復元力によって残りの区間でカバー５のスライディング運動が自然に行われるように機能する。
【００３８】
ここで、前記弾性ユニット３０は、ヒンジピン３１を介してガイド部材１０および移動部材２０に回転可能に結合される。このため、ガイド部材１０および移動部材２０には、ヒンジピン３１を弾性ユニット３０にはめ込むための組立孔１９、２９がそれぞれ形成されている。
【００３９】
図４は図３に示す弾性ユニットを示す斜視図であり、図５は図４の分解斜視図である。
【００４０】
図を参照すると、上述した本発明の例示的な実施形態に係る携帯端末機用スライド式カバー開閉装置１００において、弾性ユニット３０は主に、１対の回転板４０と、弾性支持板６０と、弾性部材９０とを含んで構成される。
【００４１】
本実施形態において、前記１対の回転板４０は、互いに平行に配置され、ガイド部材１０（以下、図３参照）および移動部材２０（以下、図３参照）にヒンジピン３１を介してそれぞれ回転可能に結合する。
【００４２】
すなわち、前記１対の回転板４０は、ガイド部材１０と移動部材２０の間で１対の平行な仮想線上に配置されるが、一側端部が互いに反対方向を向いて位置するようになる。
【００４３】
また、前記１対の回転板４０は、他側の一側端部にヒンジピン３１が結合するヒンジ溝４１が形成されているが、このヒンジ溝４１はそれぞれの他側の一側端部に互いに上下逆方向に向いて配置されている。
【００４４】
前記各回転板４０は、ヒンジ溝４１が形成される本体部４２と、その本体部４２の長さ方向側のエッジから一体に延長する延長部４８とを含んで構成される。
【００４５】
このような回転板４０は、両側サイド部に「Ｕ」字断面を有する凹溝形態のガイドレール５１がそれぞれ形成され、このガイドレール５１には図６に示すように一定の傾斜度を有する係止爪５３が形成されている。
【００４６】
ここで、前記ガイドレール５１は、係止爪５３を中心として延長部４８側に向かう第１レール５５と、本体部４２のヒンジ溝４１（図５参照）側に向かう第２レール５６とからなる。
【００４７】
前記第１レール５５と第２レール５６は、係止爪５３によって凹溝の深さが互いに異なるという点に差がある。
【００４８】
すなわち、前記第２レール５６は、係止爪５３によってその凹溝の深さが第１レール５５の凹溝の深さよりもさらに深く構成される。
【００４９】
一方、前記各回転板４０の本体部４２には、両側延長部４８の間の側面に、本体部４２の長さ方向に沿って複数の挿入ホール５８が形成されるが、この挿入ホール５８は本体部４２の幅方向に沿って一定の間隔で離隔するように形成されている（図６参照）。
【００５０】
本実施形態において、前記弾性支持板６０は、各回転板４０の回転をガイドして弾性復元力によってカバー５のスライディング運動を誘導するためのものであって、弾性を有する所定の厚さの金属薄板で構成される。
【００５１】
前記弾性支持板６０はそれぞれの回転板４０の間でこれらの両側サイド部のガイドレール５１にスライディング可能に結合し、そのガイドレール５１上の係止爪５３にロッキング可能に構成される。
【００５２】
このような弾性支持板６０は、図７に示すように大略「Ｓ」字形態の板形状で構成され、各回転板４０に向かって互いに反対方向にオープンした空間を有する第１および第２スライドセクション６１、６２からなる。
【００５３】
ここで、前記第１スライドセクション６１および第２スライドセクション６２とは、１つの板からなる弾性支持板６０において、各回転板４０の両側ガイドレール５１にスライディング結合する部分を意味する。
【００５４】
すなわち、本実施形態においては、図面上の一点鎖線を基準として、一側の回転板４０とスライディング結合する区域（パート）を第１スライドセクション６１とし、他側の回転板４０とスライディング結合する区域（パート）を第２スライドセクション６２とする。
【００５５】
また、本実施形態において、前記弾性支持板６０は、全体的な形状が「Ｓ」字形態で構成されることを考慮すると、第１リブ７１と、第２リブ７２と、第１および第２リブ７１、７２の間でこれらの第１および第２リブ７１、７２と一体に構成される第３リブ７３とを含んでいる。
【００５６】
前記第１リブ７１は第１スライドセクション６１に対応する回転板４０の一側ガイドレール５１にスライディング可能に結合するものであって、第１スライドセクション６１のオープン空間を間において第３リブ７３の一側端部と一体に形成される。
【００５７】
前記第２リブ７２は第２スライドセクション６２に対応する他側の回転板４０の一側ガイドレール５１にスライディング可能に結合するものであって、第２スライドセクション６２のオープン空間を間において第３リブ７３の他側の一側端部と一体に形成される。
【００５８】
また、前記第３リブ７３は、上述したように一側端部が第１リブ７１と一体に形成され、他側の一側端部が第２リブ７２と一体に形成されるものであって、第１リブ７１と第２リブ７２の間の中央で各回転板４０の他側の一側ガイドレール５１にスライディング可能に結合する。
【００５９】
ここで、各回転板４０の両側ガイドレール５１に対応して第１および第２スライドセクション６１、６２の開放端部、すなわち第１リブ７１と第３リブ７３の開放端部および第２リブ７２と第３リブ７３の開放端部には、上述した係止爪５３にフック結合するフック突起７５がそれぞれ形成されている。
【００６０】
このフック突起７５は、第１および第２スライドセクション６１、６２の開放端部の内側に向かう第１レール５５とその開放端部の外側に向かう第２レール５６の間で係止爪５３に相補的な形態の結合をなしてかかるように、係止爪５３に対応する傾斜度を有して形成される。
【００６１】
すなわち、前記フック突起７５は、第１および第３リブ７１、７３の開放端部および第２および第３リブ７２、７３の開放端部に第１および第２スライドセクション６１、６２のオープン空間内側に傾いて形成される。
【００６２】
上述したように、それぞれのフック突起７５と係止爪５３に傾斜度をそれぞれ付与した理由は、弾性支持板６０と各回転板４０を組み立てたとき、その弾性支持板６０に対する各回転板４０の離脱を防ぐためである。
【００６３】
本実施形態においては、弾性支持板６０が弾性を有する金属薄板で構成されるため、フック突起７５が第１および第３リブ７１、７３の開放端部および第２および第３リブ７２、７３の開放端部から突出するように形成されていても、係止爪５３に対してフック突起７５をロッキングさせることが可能となっている。
【００６４】
分かりやすく説明すると、前記弾性支持板６０の第１および第２スライドセクション６１、６２に対する各回転板４０の組み立ては、係止爪５３によって第２レール５６の凹溝の深さが第１レール５５の凹溝の深さよりもさらに深いため、第１リブ７１と第２リブ７２が弾性変形しながら第１レール５５にスライディングし、フック突起７５が係止爪５３にかかると第１リブ７１と第２リブ７２が原状回復するようにして行われる。
【００６５】
また、本実施形態において、前記第１リブ７１と第３リブ７３の開放端部および第２リブ７２と第３リブ７３の開放端部は、そのエッジ部分がラウンド形態で構成されることが好ましい。
【００６６】
ここで、前記開放端部のエッジ部分をラウンド形態で構成する理由は、第１および第２スライドセクション６１、６２に対して各回転板４０を組み立てる際に、その開放端部が第１レール５５に容易に進入するようにするためである。
【００６７】
すなわち、前記弾性支持板６０と各回転板４０の組立性をより向上させるためである。
【００６８】
一方、このような弾性支持板６０において、第１および第２スライドセクション６１、６２には、各回転板４０の延長部４８の間で本体部４２の挿入ホール５８に一部挿入する複数の支持ピン７７が形成されている。
【００６９】
前記支持ピン７７は、各回転板４０に対する弾性支持板６０のスライディング運動を支持すると同時に、後述する弾性部材９０を堅固に支持するためのものである。
【００７０】
このような支持ピン７７は、第１リブ７１と第３リブ７３の開放端部に対応するこれらの連結部分、および第２リブ７２と第３リブ７３の開放端部に対応するこれらの連結部分に、前記開放端部に向かって一体に長く形成されている。
【００７１】
前記支持ピン７７は、各回転板４０の挿入ホール５８および後述する弾性部材９０と対応する個数でそれぞれ形成される。
【００７２】
本実施形態において、前記弾性部材９０は、図４および図５に示すように、第１および第２スライドセクション６１、６２の支持ピン７７に嵌合し、それぞれの回転板４０に対して弾発力を作用させるためのものである。
【００７３】
このような弾性部材９０は圧縮スプリングで構成されることが好ましい。
【００７４】
ここで、前記弾性部材９０は、支持ピン７７に嵌合し、支持ピン７７が各回転板４０の挿入ホール５８に一部挿入した状態で、その一側端部が挿入ホール５８の入口側に支持され、他側の一側端部が第１リブ７１と第３リブ７３の連結部分および第２リブ７２と第３リブ７３の連結部分によって支持される。
【００７５】
以下、上述したように構成される本発明の例示的な実施形態に係る携帯端末機用スライド式カバー開閉装置１００の組立順序および作動過程について詳細に説明する。
【００７６】
本発明の例示的な携帯端末機用スライド式カバー開閉装置１００の組立順序を説明すると、まず、本実施形態においては、弾性支持板６０の第１リブ７１と第３リブ７３の開放端部および第２リブ７２と第３リブ７３の開放端部を介して弾性部材９０を各スライドセクション６１、６２の支持ピン７７に装着する。
【００７７】
次に、第１リブ７１と第３リブ７３の開放端部および第２リブ７２と第３リブ７３の開放端部を介して各回転板４０を第１および第２スライドセクション６１、６２に組み立てる。
【００７８】
この過程をより具体的に説明すると、まず、各回転板４０の第１レール５５に、第１リブ７１と第３リブ７３の開放端部および第２リブ７２と第３リブ７３の開放端部のフック突起７５を進入させる。
【００７９】
ここで、前記弾性支持板６０が弾性を有する金属薄板で構成されるため、第１リブ７１と第２リブ７２は、第１レール５５に進入する過程において、それぞれのフック突起７５によって弾性変形しながら第１レール５５に沿ってスライディングし、そのフック突起７５が係止爪５３にかかると原状回復し、結果的には前記フック突起７５は係止爪５３にフック結合する。
【００８０】
このような過程を経る間、第１および第２スライドセクション６１、６２の支持ピン７７は各回転板４０の挿入ホール５８に自然に一部挿入し、弾性部材９０は各回転板４０によって圧縮されながら弾発力を各回転板４０に対して作用させるようになる。
【００８１】
上述したような過程によって各回転板４０が弾性支持板６０に弾性支持されるように結合することにより、本実施形態に係る弾性ユニット３０の組み立てが完了する。
【００８２】
このように弾性ユニット３０の組み立てが完了した状態で、図２および図３に示すように、ヒンジピン３１がガイド部材１０および移動部材２０の組立孔１９、２９を介して回転板４０のヒンジ溝４１に結合することによって、前記回転板４０はガイド部材１０および移動部材２０にそれぞれ回転可能に結合される。
【００８３】
次に、上述したような過程によってガイド部材１０および移動部材２０に弾性ユニット３０が回転可能に組み立てられた本発明の例示的な実施形態に係る携帯端末機用スライド式カバー開閉装置１００の作動過程を、図面を参照しながら詳しく説明する。
【００８４】
まず、図１および図８に示すように、携帯端末機１の本体３に対してカバー５を閉じた状態ではガイド部材１０と移動部材２０の一側（上部）端部が接続した状態が維持され、弾性ユニット３０の各回転板４０はカバー５の移動方向に傾いた状態が維持される。
【００８５】
ここで、弾性部材９０には弾性力が作用しなかったり各回転板４０に対して比較的小さい大きさの弾発力が作用する。
【００８６】
この状態で、図９および図１０に示すように、前記カバー５が本体３から半分程度開かれるまで上に押し上げると、ガイド部材１０は移動部材２０の中間部程度まで移動する。
【００８７】
ここで、弾性ユニット３０の各回転板４０はヒンジピン３１を中心としてそれぞれ回転し、カバー５の移動方向に大略直角方向に向けて位置するようになる。
【００８８】
この場合、弾性ユニット３０の弾性支持板６０が、係止爪５３（以下、図６参照）にロッキングした状態で、各回転板４０のガイドレール５１（以下、図４参照）に沿ってヒンジピン３１側までスライディングして、弾性部材９０が圧縮されて弾性部材９０の弾発力が増加する。従って、ユーザがそれ以上カバー５に力を加えなくても、移動部材２０は上側方向に自動的に移動するようになる。
【００８９】
上述したように、移動部材２０が上側方向に移動することにより、図１１および図１２に示すように、前記ガイド部材１０は移動部材２０の他方（下部）端部まで移動してカバー５は完全に開くようになり、弾性ユニット３０の各回転板４０はヒンジピン３１を中心としてそれぞれ回転しながら移動部材２０の移動方向に傾いた状態になる。
【００９０】
この過程において、弾性ユニット３０の弾性支持板６０は、各回転板４０のガイドレール５１に沿ってヒンジピン３１の反対側方向にスライディングして係止爪５３にロッキングし、弾性部材９０はカバー５を閉じたときのように原状回復しながら弾発力が弱くなったりなくなったりする。
【００９１】
一方、本実施形態において、携帯端末機１の本体３から開いた状態のカバー５を閉じる場合には、上述した過程と逆の順序で作動するため、以下では詳細な説明は省略する。
【００９２】
これにより、本実施形態では、１つの板からなる弾性支持板６０と１対の回転板４０とがスライディング可能に結合し、その弾性支持板６０の支持ピン７７に弾性部材９０が支持される弾性ユニット３０を備えることにより、弾性部材９０の弾性力が携帯端末機１の開閉方向に沿って正確に作用する。
【００９３】
また、本実施形態では、弾性ユニット３０の過度な圧縮によって中間部が曲がったりずれたりして弾性力が低下したり損失することを最小化することができるため、携帯端末機１のカバー５の開閉動作が自然かつ円滑に行われ、さらには弾性ユニット３０の寿命が延長する。
【００９４】
さらに、本実施形態では、弾性支持板６０と各回転板４０の結合が安定的になされることにより、弾性ユニット３０の移動および作動が安定的に行われ、全体構成の組み立ておよび製造が容易となって生産性を向上させることができる。
【００９５】
以上、本発明の好ましい実施形態について説明したが、本発明はこれに限定されるものではなく、特許請求の範囲と発明の詳細な説明および添付した図面の範囲内で多様に変形して実施することが可能であり、これも本発明の範囲に属することは当然である。
【符号の説明】
【００９６】
１：携帯端末機
３：本体
５：カバー
１０：ガイド部材
１１：本体
１３：ガイド溝
１５：溝部材
１９、２９：組立孔
２０：移動部材
２１：レール部
３０：弾性ユニット
３１：ヒンジピン
４０：回転板
４１：ヒンジ溝
４２：本体部
４８：延長部
５１：ガイドレール
５３：係止爪
５５：第１レール
５６：第２レール
５８：挿入ホール
６０：弾性支持板
６１：第１スライドセクション
６２：第２スライドセクション
７１：第１リブ
７２：第２リブ
７３：第３リブ
７５：フック突起
７７：支持ピン
９０：弾性部材
１００：携帯端末機用スライド式カバー開閉装置
【図１】
2011521601.tif 000003
【図２】
2011521601.tif 000004
【図３】
2011521601.tif 000005
【図４】
2011521601.tif 000006
【図５】
2011521601.tif 000007
【図６】
2011521601.tif 000008
【図７】
2011521601.tif 000009
【図８】
2011521601.tif 000010
【図９】
2011521601.tif 000011
【図１０】
2011521601.tif 000012
【図１１】
2011521601.tif 000013
【図１２】
2011521601.tif 000014
【国際調査報告】
2011521601.tif 000015
2011521601.tif 000016